(57)【特許請求の範囲】
【請求項１】
端子の電気接触部の底壁から支持片を立ち上げて、弾性接触部の撓み側に位置させた端子のへたり防止構造において、
前記支持片が、前記底壁から前記弾性接触部に向けて屈曲した基部側の壁部と、該基部側の壁部から前記電気接触部の側壁に向けて屈曲した先端側の壁部とで構成され、該先端側の壁部を前記弾性接触部の撓みに対応して傾斜させたことを特徴とする端子のへたり防止構造。
【請求項２】
請求項１に記載の端子のへたり防止構造において、
前記支持片の前記先端側の壁部に係止突部が形成され、前記電気接触部の側壁に前記係止突部に対する係合孔が形成されたことを特徴とする端子のへたり防止構造。
【請求項３】
請求項１又は請求項２に記載の端子のへたり防止構造において、
前記支持片は前記底壁から相対向して対を成して形成されていることを特徴とする端子のへたり防止構造。
【発明の詳細な説明】
【０００１】
【発明の属する技術分野】
本発明は、雌端子の弾性接触部の撓み過ぎを防止すべく、弾性接触部の撓み側に支持片を配設した端子のへたり防止構造に関する。
【０００２】
【従来の技術】
図７は、実開平７−４２００５号公報に記載された従来の端子のへたり構造を示すものである。
このへたり防止構造は、雌端子１の矩形筒状の電気接触部２内において、弾性接触部としての弾性接触片３の下側で底壁４から支持片５を垂直に立ち上げ形成し、支持片５の先端を弾性接触片３の下側面に対向させ、弾性接触片３が撓んだ際に、弾性接触片３の下側面を支持片５の先端に当接させて、弾性接触片３の撓み過ぎとそれに伴うへたりを防止するものである。
【０００３】
支持片５の両側には突部６、６が形成され、電気接触部２の側壁７には、突部６に対する係合孔８が形成されている。突部６が係合孔８に係合することにより、支持片５の倒れが防止され、図８に示される如く雄端子９をこじるように電気接触部２内に挿入した場合でも、支持片５が弾性接触片３を支えて、弾性接触片３の撓み過ぎを防止する。
【０００４】
しかしながら、上記従来のへたり防止構造にあっては、弾性接触片３を支える範囲が支持片５の板厚分であることから、この支えられている部分（範囲）以外で雄端子９や導通チェック用のプローブピン（図示しない）や治具棒（図示しない）等でこじり方向に過度の荷重を受けると、弾性接触片３が変形してへたってしまうという問題点があった。
即ち、図９に示される如く支持片５が弾性接触片３の基部側に配設されている場合には、支持片５の奥側に上記雄端子９などがこじるように挿入されると、支持片５を支点として弾性接触片３が変形してしまう。また、図１０に示される如く支持片５が弾性接触片３の中間部近傍に配設されている場合には、支持片５の前側に上記雄端子９などが大きな傾きでこじるように挿入されると、弾性接触片３の基部側が窪むように変形してしまう。
【０００５】
【発明が解決しようとする課題】
本発明は、上述した問題点を解消するため、雌端子の電気接触部内に雄端子やプローブピンや治具棒等を挿入して、弾性接触部を強くこじったりした場合でも、電気接触部内の支持片が広範囲に弾性接触部を支えて、弾性接触部の撓み過ぎによるへたりを確実に防止し得る端子のへたり防止構造を提供することを課題とする。
【０００６】
【課題を解決するための手段】
上記課題を解決するためなされた請求項１記載の本発明の端子のへたり防止構造は、端子の電気接触部の底壁から支持片を立ち上げて、弾性接触部の撓み側に位置させた端子のへたり防止構造において、前記支持片が、前記底壁から前記弾性接触部に向けて屈曲した基部側の壁部と、該基部側の壁部から前記電気接触部の側壁に向けて屈曲した先端側の壁部とで構成され、該先端側の壁部を前記弾性接触部の撓みに対応して傾斜させたことを特徴としている。
【０００７】
上記構成において、支持片が電気接触部の底壁から弾性接触部に向けて屈曲した基部側の壁部と、その基部側の壁部から電気接触部の側壁に向けて屈曲した先端側の壁部とで構成され、先端側の壁部を前記弾性接触部の撓みに対応して傾斜させているので、弾性接触部が撓んだ際に支持片の先端側の壁部によって、その弾性接触部が広範囲にわたり面接触して支えられ、弾性接触部の撓み過ぎによるへたりを確実に防止することができる。
【０００８】
請求項２記載の本発明の端子のへたり防止構造は、請求項１に記載の端子のへたり防止構造において、前記支持片の前記先端側の壁部に係止突部が形成され、前記電気接触部の側壁に前記係止突部に対する係合孔が形成されたことを特徴としている。
【０００９】
上記構成において、先端側の壁部の係止突部が電気接触部の側壁の係合孔に係合するので、支持片の係止力を高めることができる。
【００１０】
請求項３記載の本発明の端子のへたり防止構造は、請求項１又は請求項２に記載の端子のへたり防止構造において、前記支持片は前記底壁から相対向して対を成して形成されていることを特徴としている。
【００１１】
上記構成において、支持片は電気接触部の底壁から相対向して対を成して形成されているので、常に安定した状態で弾性接触部を支えることができる。
【００１２】
【発明の実施の形態】
以下、図面に基づいて本発明の一実施の形態を説明する。図１は本発明の端子のへたり防止構造の一実施の形態を示す雌端子の電気接触部の斜視図を示し、図２は図１のＡ−Ａ線断面斜視図、図３は図１の平面図、図４は図１の正面図を示す。
【００１３】
図１及び図２において、２１は導電性金属板から製造された雌端子を示し、該雌端子２１は内部に弾性接触部としての弾性接触片２２を有する電気接触部２３を備えている。
電気接触部２３は、底壁２４の両側に折曲形成された側壁２５、２６を有し、一方の側壁２５を屈曲させて天壁２７を形成するとともに、他方の側壁２６の縁部から延設した加締片２８、２９によって押圧固定されて矩形筒状に形成されている。また、各側壁２５、２６には、矩形に打ち抜かれた係合孔２５ａ、２６ａが形成されている。
【００１４】
底壁２４には、弾性接触片２２が電気接触部２３の前端に位置する部分から後方に向けて一体に折り返して形成されるとともに、弾性接触片２２の下側（撓み側）に相対向する一対の支持片３０、３０が折曲形成されている。
【００１５】
弾性接触片２２は、底壁２４から折り返された前側傾斜部２２ａ（図６参照）と、中間の平坦な頂部２２ｂ（図６参照）と、その頂部２２ｂに続く後側傾斜部２２ｃ（図６参照）とから成る。
【００１６】
支持片３０、３０は、底壁２４から側壁２５、２６側に開くように屈曲して弾性接触片２２側に垂直に立ち上げられた基部側の壁部３０ａ、３０ａと、その基部側の壁部３０ａ、３０ａから側壁２５、２６に直交するように屈曲形成された先端側の壁部３０ｂ、３０ｂとから構成されている。
先端側の壁部３０ｂ、３０ｂは、弾性接触片２２の撓みに対応するようにその弾性接触片２２の傾斜方向と同じ方向に傾斜し、先端側の壁部３０ｂ、３０ｂと前側傾斜部２２ａとが隙間を存して略対向している。また、先端側の壁部３０ｂ、３０ｂのそれぞれの縁部には、側壁２５、２６の係合孔２５ａ、２６ａに対応する係止突部３０ｃ、３０ｃが形成されている。
【００１７】
図３及び図４に示される如く、電気接触部２３の天壁２７の内面側には、弾性接触片２２に対向して長手方向に接触突条３１、３１が形成されている。本一実施の形態において支持片３０、３０は、その接触突条３１、３１よりも外方、即ち側壁２５、２６側に形成されている。また、支持片３０、３０が底壁２４から屈曲形成されることによって、矩形の開口部３２が大きく開口している。
【００１８】
図５は雌端子２１の展開図であり、底壁２４に対して両側壁２５、２６側となる端子長手直交方向に支持片３０、３０が打ち抜き形成されている。また、両側壁２５、２６には係合孔２５ａ、２６ａが同様に打ち抜き形成されている。係合孔２５ａ、２６ａは係止突部３０ｃの肉厚よりも若干大きく開口するように形成され、大きなこじり力が加わっても係止突部３０ｃ、３０ｃが係合孔２５ａ、２６ａに確実に係合するようになっている。
一方の側壁２５には天壁２７が連成され、他方の側壁２６には加締片２８、２９が形成されている。支持片３０、３０に続く底壁２４の前方には、弾性接触片２２が形成されている。
【００１９】
支持片３０、３０の基部側の壁部３０ａ、３０ａの折り曲げ部３３、３３は弾性接触片２２の幅よりも内側に位置し、端子軸を挟んで逆ハ字状になっている。また、先端側の壁部３０ｂ、３０ｂの折り曲げ部３４、３４は端子軸を挟んでハ字状になっている。
【００２０】
底壁２４と両側壁２５、２６と天壁２７と弾性接触片２２とで電気接触部２３が構成される。底壁２４の後方には図示しない電線圧着部が続いている。図５に示した構成は雌端子の製造方法としても有効である。
【００２１】
図６は、上記構成の雌端子２１の内部に例えば雄端子３５をこじるように挿入した場合の状態を説明するものである。
同図に示される如く、雄端子３５を弾性接触片２２の前側傾斜部２２ａへこじるように挿入して弾性接触片２２を底壁２４側に撓ませても、弾性接触片２２が支持片３０の傾斜した先端の壁部３０ｂに広い範囲で当接して過度の撓みが防止され、へたりを確実に防止することになる。また、先端側の壁部３０ｂ、３０ｂの係止突部３０ｃ、３０ｃ（図１参照）が電気接触部２３の側壁２５、２６（図１参照）の係合孔２５ａ、２６ａ（図１参照）に係合しているので、支持片３０の係止力が高められ、例え弾性接触片２２に大きなこじり力が加わった場合でも、何ら支持片３０、３０が倒れたり変形したりすることがない。
【００２２】
尚、支持片３０は一対に限らず、底壁２４から基部側の壁部３０ａを長く切り出して一つにすることも可能である。また、先端側の壁部３０ｂ、３０ｂを側壁２５、２６方向に折り曲げずに、内側に向けることも可能である。
【００２３】
【発明の効果】
以上説明したように、請求項１に記載された本発明によれば、支持片が電気接触部の底壁から弾性接触部に向けて屈曲した基部側の壁部と、その基部側の壁部から電気接触部の側壁に向けて屈曲した先端側の壁部とで構成され、先端側の壁部を前記弾性接触部の撓みに対応して傾斜させているので、弾性接触部が撓んだ際に支持片の先端側の壁部によって、その弾性接触部が広範囲にわたり面接触して支えられ、弾性接触部の撓み過ぎによるへたりを確実に防止することができるという効果を奏する。
【００２４】
請求項２に記載された本発明によれば、先端側の壁部の係止突部が電気接触部の側壁の係合孔に係合するので、支持片の係止力を高めることができるという効果を奏する。
【００２５】
請求項３に記載された本発明によれば、支持片は電気接触部の底壁から相対向して対を成して形成されているので、常に安定した状態で弾性接触部を支えることができるという効果を奏する。
【図面の簡単な説明】
【図１】本発明による端子のへたり防止構造の一実施の形態を示す雌端子の電気接触部の斜視図である。
【図２】図１のＡ−Ａ線断面斜視図である。
【図３】図１の平面図である。
【図４】図１の正面図である。
【図５】図１の展開図である。
【図６】図４のＢ−Ｂ線断面図であり、雌端子の内部に雄端子をこじるように挿入した場合の状態を説明する図である。
【図７】従来の端子のへたり防止構造を示す斜視図である。
【図８】図７の雌端子の内部に雄端子をこじるように挿入した場合の状態を説明する断面図である。
【図９】図７の支持片の奥側に雄端子をこじるように挿入した場合の状態を説明する断面図である。
【図１０】図７の支持片の前側に雄端子をこじるように挿入した場合の状態を説明する断面図である。
【符号の説明】
２１              雌端子
２２              弾性接触片（弾性接触部）
２３              電気接触部
２４              底壁
２５、２６        側壁
２５ａ、２６ａ    係合孔
２７              天壁
２８、２９        加締片
３０              支持片
３０ａ            基部側の壁部
３０ｂ            先端側の壁部
３０ｃ            係止突部
３１              接触突条
３２              開口部
３３、３４        折り曲げ部
３５              雄端子
【図１】
0003807646.tif 000002
【図２】
0003807646.tif 000003
【図３】
0003807646.tif 000004
【図４】
0003807646.tif 000005
【図５】
0003807646.tif 000006
【図６】
0003807646.tif 000007
【図７】
0003807646.tif 000008
【図８】
0003807646.tif 000009
【図９】
0003807646.tif 000010
【図１０】
0003807646.tif 000011